(57)【特許請求の範囲】
【請求項１】
棒状物品をすべり接触式で電気めっきする方法であって、
棒状物品は、両端部をそれぞれ両側の非導電性の筒体に入れて両側の筒体に掛け渡し、中央部を筒体で覆わず、
両側の筒体はめっき液に浸け、両側の筒体に掛け渡した棒状物品と両側又は片側の筒体内に配置した棒状又は突起状の陰極をめっき液に没入し、
両側の筒体は、棒状物品の掛け渡し方向に沿う軸の周りに回転し、両側の筒体に掛け渡した棒状物品をめっき液中で回転しつつ移動して棒状又は突起状の陰極とすべり接触させることを特徴とする棒状物品のすべり接触式電気めっき方法。
【請求項２】
両側の筒体は、その中心軸と離れて平行する軸の周りに回転することを特徴とする請求項１に記載の棒状物品のすべり接触式電気めっき方法。
【請求項３】
請求項１又は２に記載のすべり接触式電気めっき方法によって電気めっきされたことを特徴とする棒状物品。
【請求項４】
両端又は片端の端部に凹凸や突起部があることを特徴とする請求項３に記載の棒状物品。
【請求項５】
圧縮点火機関の点火を補助するグロープラグの棒状部品であることを特徴とする請求項３又は４に記載の棒状物品。
【請求項６】
すべり接触式で電気めっきする棒状物品をめっき液中で移動させつつ通電する物品移動器具であって、
両側にそれぞれ非導電性の筒体を配置して両側の筒体を間隔を置いて向い合わせ、両側の筒体に棒状物品を掛け渡す構成にし、両側又は片側の筒体内に棒状又は突起状の陰極を配置し、両側の筒体を棒状物品の掛け渡し方向に沿う軸の周りに回転する構成にし、
両側の筒体を棒状物品の掛け渡し方向に沿う軸の周りに回転すると、両側の筒体に掛け渡した棒状物品が回転しつつ移動して棒状又は突起状の陰極とすべり接触する構成にしたことを特徴とする棒状物品のすべり接触式電気めっき用物品移動器具。
【請求項７】
両側の筒体は、棒状物品を掛け渡す間隔を増減可能にしたことを特徴とする請求項６に記載の棒状物品のすべり接触式電気めっき用物品移動器具。
【請求項８】
両側又は片側の筒体は、周壁に、めっき液が通過する液通過孔を配列したことを特徴とする請求項６又は７に記載の棒状物品のすべり接触式電気めっき用物品移動器具。
【請求項９】
両側又は片側の筒体は、周壁に、棒状物品の端部が通過する物品出し入れ部を設けたことを特徴とする請求項６、７又は８に記載の棒状物品のすべり接触式電気めっき用物品移動器具。
【発明の詳細な説明】
【技術分野】
【０００１】
本発明は、棒状物品をバレル式とも言われるすべり接触式で電気めっきする技術に関する。
【背景技術】
【０００２】
すべり接触式の電気めっきに用いるバレルは、非導電性の容器であって、内部に陰極線が垂れ下っている。また、非導電性容器は、籠状であって、周壁に多数の液通過孔を貫通している。籠状容器は、液通過孔を通じてめっき液が出入する。
【０００３】
すべり接触式の電気めっき法は、バレルに多数の小形の物品を容れ、めっき槽にめっき液と陽極板を入れる。バレルは、多数の物品を閉じ込めた状態でめっき槽のめっき液に浸け、バレル内の陰極線と物品をめっき液に没入する。陽極板と陰極線の間には、電圧を印加する。バレルは、回転する。すると、バレル内の多数の物品は、それぞれ、めっき液の中で回転しつつ移動し、陰極線や隣の物品とすべり接触する。電流は、陽極板からバレル外のめっき液、バレル周壁の液通過孔、バレル内のめっき液と物品を経て陰極線に流れる。物品は、電気めっきされる。
【先行技術文献】
【特許文献】
【０００４】
【特許文献１】特開２００７−２３３３３号公報（図１）
【発明の概要】
【発明が解決しようとする課題】
【０００５】
［課  題］
上記のようなすべり接触式の電気めっき法で、軸部品のような棒状物品を電気めっきすると、棒状物品は、その形状に起因して、電流密度が端部で高くて中央部で低くなる。めっきの付着量が両端部で多くて中央部で少なくなり易い。棒状物品は、電気めっきが均等厚さになり難い。特に、棒状物品は、端部にネジやローレットのような凹凸や突起部があると、めっき厚さの不均等が顕著になる。
【０００６】
また、棒状物品は、陰極線が巻き付き易い。陰極線が棒状物品に絡み付くと、バレル内の多数の棒状物品は、回転や移動が困難になる。各棒状物品は、他の棒状物品や陰極線に接触し難くなる。棒状物品は、長くて細いと、湾曲したり、折れ曲がったりすることがある。棒状物品は、良好に電気めっきし難い。
結局、棒状物品は、均等厚さに良好に電気めっきし難い。
【０００７】
［考察と着想］
第１点
バレルの籠状容器の液通過孔付き周壁は、電流が陽極から物品を経て陰極に流れるのに対して抵抗になっている。その上、バレル内の物品付近のめっき液、金属イオン濃度の低いめっき液が、バレル外のめっき液、金属イオン濃度の高いめっき液と入れ替わるのに対して抵抗になっている。即ち、バレルの液通過孔付き周壁は、めっきの付着量が多くならない原因になっている。
【０００８】
そこで、軸部品のような棒状物品は、めっきの付着量が多くならない中央部をバレルの周壁で覆わない。棒状物品の中央部は、陽極との間にバレルの周壁を介在させないことにした。
棒状物品をめっき液中で移動させつつ通電する物品移動器具は、物品の全体を包む容器のバレルに替えて、図１に示すように、棒状物品１を掛け渡す方式にする。この掛け渡し式の物品移動器具は、両側にそれぞれ非導電性の筒体２を配置して両側の筒体２を間隔を置いて向い合わせる。両側の筒体２は、棒状物品１を掛け渡す対の筒体を構成する。
棒状物品１は、両端部を両側の筒体２に入れ、両側の対の筒体２に掛け渡す。両端支持する。すると、棒状物品１は、中央部が筒体２で覆われない。棒状物品１の中央部について、めっき付着量が物品移動器具の形態に起因して多くならない原因がなくなる。
【０００９】
なお、掛け渡し式の物品移動器具は、図２に側面を示すように、複数本の棒状物品１を両側の対の筒体２に掛け渡す。各棒状物品１は、それぞれ、両端部を両側の筒体２に入れる。
【００１０】
第２点
バレル内の陰極線が棒状物品に巻き付いて絡み付く原因は、陰極線が湾曲可能であることに起因している。
【００１１】
そこで、陰極３は、図１と図２に示すように、線ではなく、棒状にする。又は、突起状にする。掛け渡し式の物品移動器具は、両側又は片側の筒体２内に棒状又は突起状の陰極３を配置する。
掛け渡し式の物品移動器具は、両側の対の筒体２を棒状物品１の掛け渡し方向に沿う軸の周りに回転する。すると、棒状物品１は、両端部を両側の筒体２に入れた状態で、回転しつつ径方向に移動し、他の棒状物品１や棒状又は突起状の陰極３にすべり接触する。棒状又は突起状の陰極３は、棒状物品１には巻き付かない。絡み付かない。陰極の形態に起因して良好に電気めっきされない原因がなくなる。
【００１２】
両側の対の筒体２を棒状物品１の掛け渡し方向に沿う軸の周りに回転するに当たり、対の筒体２の中心軸４の周りに回転する。自転する。又は、対の筒体２の中心軸４と離れて平行する並列軸５の周りに回転する。公転する。公転の方が自転より、めっき液中で棒状物品１が移動する距離が長くなる。棒状物品１が金属イオン濃度の高いめっき液と接触し易くなる。電気めっきが促進され易い。
【００１３】
第３点
軸部品のような棒状物品１は、長いものも、短いものもある。そこで、掛け渡し式の物品移動器具は、両側の対の筒体２の間隔を増減可能にする。対の筒体２は、棒状物品１を掛け渡す間隔を棒状物品１の長さに応じて調整する。
【００１４】
第４点
掛け渡し式の物品移動器具は、両側又は片側の筒体２の周壁に、めっき液が通過する液通過孔６を貫通して配列する。また、両側又は片側の筒体の周壁に、棒状物品の端部が通過する物品出し入れ部を設ける。
【課題を解決するための手段】
【００１５】
１．棒状物品をすべり接触式で電気めっきする方法であって、
棒状物品は、両端部をそれぞれ両側の非導電性の筒体に入れて両側の筒体に掛け渡し、中央部を筒体で覆わず、
両側の筒体はめっき液に浸け、両側の筒体に掛け渡した棒状物品と両側又は片側の筒体内に配置した棒状又は突起状の陰極をめっき液に没入し、
両側の筒体は、棒状物品の掛け渡し方向に沿う軸の周りに回転し、両側の筒体に掛け渡した棒状物品をめっき液中で回転しつつ移動して棒状又は突起状の陰極とすべり接触させることを特徴とする棒状物品のすべり接触式電気めっき方法。
２．上記１の棒状物品のすべり接触式電気めっき方法において、
両側の筒体は、その中心軸と離れて平行する軸の周りに回転することを特徴とする。
３．上記１又は２のすべり接触式電気めっき方法によって電気めっきされたことを特徴とする棒状物品。
４．上記３の棒状物品において、
両端又は片端の端部に凹凸や突起部があることを特徴とする。
５．上記３又は４の棒状物品において、
圧縮点火機関の点火を補助するグロープラグの棒状部品であることを特徴とする。
６．すべり接触式で電気めっきする棒状物品をめっき液中で移動させつつ通電する物品移動器具であって、
両側にそれぞれ非導電性の筒体を配置して両側の筒体を間隔を置いて向い合わせ、両側の筒体に棒状物品を掛け渡す構成にし、両側又は片側の筒体内に棒状又は突起状の陰極を配置し、両側の筒体を棒状物品の掛け渡し方向に沿う軸の周りに回転する構成にし、
両側の筒体を棒状物品の掛け渡し方向に沿う軸の周りに回転すると、両側の筒体に掛け渡した棒状物品が回転しつつ移動して棒状又は突起状の陰極とすべり接触する構成にしたことを特徴とする棒状物品のすべり接触式電気めっき用物品移動器具。
７．上記６の棒状物品のすべり接触式電気めっき用物品移動器具において、
両側の筒体は、棒状物品を掛け渡す間隔を増減可能にしたことを特徴とする。
８．上記６又は７の棒状物品のすべり接触式電気めっき用物品移動器具において、
両側又は片側の筒体は、周壁に、めっき液が通過する液通過孔を配列したことを特徴とする。
９．上記６、７又は８の棒状物品のすべり接触式電気めっき用物品移動器具において、
両側又は片側の筒体は、周壁に、棒状物品の端部が通過する物品出し入れ部を設けたことを特徴とする。
【発明の効果】
【００１６】
棒状物品が均等厚さに良好に電気めっきされ易い。
【図面の簡単な説明】
【００１７】
【図１】本発明の概念ないし技術的思想を示す斜視図。
【図２】同概念ないし技術的思想を示す側面図。
【図３】本発明の実施形態におけるすべり接触式電気めっき用の物品移動器具の正面図。
【図４】図３のＡ−Ａ線断面図。
【図５】図３のＢ−Ｂ線断面図。
【発明を実施するための形態】
【００１８】
［物品移動器具の構成］
すべり接触式電気めっき用の物品移動器具は、図３〜図５に示すように、左右の両側にそれぞれ縦板１１を設けている。両側の縦板１１は、並列して向い合わせにしている。両側の縦板１１の下端と上端には、それぞれ、横棒１２を左右方向に掛け渡して固定している。左右の縦板１１と上下の横棒１２は、前後方向に開口した方形状の枠体を構成している。枠体１１、１２は、合成樹脂製にし、非導電性にしている。枠体１１、１２の上側位置には、運搬用の複数の吊り軸１３を設けている。
【００１９】
枠体１１、１２は、両側の縦板１１の下半分に回転軸２１を左右方向に掛け渡して軸受けしている。回転軸２１は、左右の端部にそれぞれ円形状の回転板２２、２３を同心状に固定している。左端の回転板２２は左側の縦板１１の内側に、右端の回転板２３は右側の縦板１１の内側に配置している。回転軸２１は、左右の回転板２２、２３の間に位置する部分を四角形断面状の角軸にしている。この角軸は、中央部に２枚の円形状の回転板２４、２５をそれぞれ同心状に嵌合して取り付けている。２枚の回転板２４、２５は、それぞれ、回転軸２１に対して回転不能にし、回転軸２１に沿って移動可能にしている。そして、ボルト２６で回転軸２１に固定する構成にしている。即ち、回転軸２１の中央部に取り付けた２枚の回転板２４、２５は、それぞれ、固定位置を回転軸２１に沿って変更可能にしている。
【００２０】
左端の回転板２２とこれに対面する回転板２４は、それぞれ、内側面の周辺側に筒体２７、２８を固定している。回転板２２に固定の筒体２７と回転板２４に固定の筒体２８は、それぞれ、短円筒形状にし、その中心軸を回転軸２１に沿う左右方向に配置している。左側の筒体２７と右側の筒体２８は、同心状にして左右に間隔を置いて向い合わせている。左右の筒体２７、２８は、棒状物品１を左右方向に掛け渡す対の筒体を構成している。対の筒体２７、２８は、左端の回転板２２とこれに対面する回転板２４に複数対を設けている。図示例では、対の筒体２７、２８は４対にしている。複数対の筒体２７、２８は、回転板２２、２４の周方向の等間隔位置に配置している。各対の筒体２７、２８は、回転板２４の固定位置を変更することにより、棒状物品１を左右方向に掛け渡す間隔を増減可能にしている。また、右端の回転板２３とこれに対面する回転板２５にも、同様に、複数対の筒体２７、２８を設けている。
【００２１】
各対の筒体２７と筒体２８は、それぞれ、周壁に多数の液通過孔２９を貫通して配列している。液通過孔２９は、めっき液６１が通過する。各筒体２８は、それぞれ、図５に鎖線で示すように、周壁の一部を開閉可能にし、物品出し入れ部３０を設けている。物品出し入れ部３０は、棒状物品１の端部が通過する。
【００２２】
回転軸２１、回転板２２と回転板２４及びその間の筒体２７、２８、並びに、回転板２３と回転板２５及びその間の筒体２７、２８などは、回転体を構成している。回転体２１〜３０は、合成樹脂製にし、非導電性にしている。
【００２３】
右端の回転板２３は、歯車に形成している。右側の縦板１１は、内側に小歯車３１を軸で取り付けている。小歯車３１は、回転板の歯車２３の上側に配置し、歯車２３に噛み合わせている。両側の縦板１１は、上半分に駆動軸３２を左右方向に掛け渡して軸受けしている。駆動軸３２は、右側の縦板１１の内側位置に歯車３３を取り付けている。歯車３３は、小歯車３１の上側に配置し、小歯車３１に噛み合わせている。また、駆動軸３２は、右側の縦板１１の外側位置に歯車３４を取り付けている。歯車３４は、図示しない回転駆動装置に連結可能にしている。歯車３４、駆動軸３２、歯車３３、小歯車３１と歯車２３は、回転駆動装置から回転軸２１への回転伝動機構を構成している。回転伝動機構２３、３１〜３４は、合成樹脂製にし、非導電性にしている。
【００２４】
回転駆動装置が回転伝動機構の歯車２３を回転すると、回転体２１〜３０が回転軸２１の中心軸の周りに回転する。各対の筒体２７、２８は、それぞれ、回転軸２１の中心軸の周り、即ち、その筒体２７、２８の中心軸と離れて平行する並列軸の周りに回転する。各対の筒体２７、２８は、棒状物品１の掛け渡し方向に沿う回転軸２１の周りに回転する。回転軸２１の中心軸の周りに公転する。
【００２５】
左端の回転板２２と回転板２４の間の各対の筒体２７、２８は、それぞれ、左端の回転板２２に固定の筒体２７の中心位置に棒状の陰極４１を配置している。棒状の陰極４１は、先端を丸めた丸棒にしている。棒状陰極４１は、基端を左端の回転板２２に埋没している。棒状陰極４１の基端は、回転板２２に埋設した帯状の電線４２に接続している。電線４２は、回転軸２１の左端部に同心状に埋設した導電軸４３に接続している。各棒状陰極４１は、それぞれ、電線４２を経て導電軸４３に接続している。導電軸４３は、左端部を左側の縦板１１の外側に突出している。導電軸４３の突出左端部は、上側位置にブラシ４４、ばね４５と電線４６を順次配置して接続している。導電軸４３の左端部、ブラシ４４、ばね４５と電線４６を水密に密封する非導電性の覆い４７を設けている。導電軸４３の左端部にブラシ４４をばね４５で押し付けて導電軸４３と電線４６を電気的に接続するブラシ機構を構成している。
【００２６】
左側の縦板１１は、導電帯４８を前後方向に沿って固定している。導電帯４８は、電線４６の上側に位置し、中央部分に電線４６の上端を接続している。導電帯４８の前後の端部には、それぞれ、導電支持軸４９を左方に外側に突出して固定している。導電支持軸４９は、導電帯４８、ブラシ機構４３〜４７と電線４２を経て各棒状陰極４１に電気的に接続している。
【００２７】
右端の回転板２３と回転板２５の間の各対の筒体２７、２８も、同様に、右端の回転板２３に固定の筒体２７の中心位置に棒状の陰極４１を配置している。各棒状陰極４１は、基端を右端の回転板２３に埋没している。右端の回転板２３と右側の縦板１１にも、同様に、電線４２、ブラシ機構４３〜４７、導電帯４８と導電支持軸４９を設けている。右側の導電支持軸４９は、右側の導電帯４８、ブラシ機構４３〜４７と電線４２を経て右側の各棒状陰極４１に電気的に接続している。なお、右側の導電帯４８と左側の導電帯４８は、電線５０で接続している。
【００２８】
［物品移動器具の使用方法、電気めっき方法］
物品移動器具を使用する場合、各対の筒体２７、２８に、それぞれ、図１と図２に示したように、複数の棒状物品１を掛け渡して支持する。多数の棒状物品１を装填した物品移動器具は、図３〜図５に示すように、めっき液６１と陽極板６２を入れた非導電性のめっき槽６３に装着する。左右の導電支持軸４９は、めっき槽６３の左右の側板上に載せる。回転伝動機構の歯車３４は、回転駆動装置に連結する。回転体２１〜３０は、めっき液６１に没入する。回転体２１〜３０の前側と後側に、それぞれ、めっき液６１中の陽極板６２が位置する。各対の筒体２７、２８に掛け渡した棒状物品１は、それぞれ、めっき液６１中の陽極板６２に対面する。各対の筒体２７、２８に両端部を入れた棒状物品１は、両端部が筒体２７、２８の液通過孔２９付き周壁で覆われ、液通過孔２９付き周壁を介してめっき液６１中の陽極板６２に対面する。棒状物品１の中央部は、筒体２７、２８の液通過孔２９付き周壁で覆われず、液通過孔２９付き周壁を介せずにめっき液６１中の陽極板６２に対面する。
【００２９】
回転駆動装置は、作動する。すると、回転体２１〜３０は、めっき液６１中で回転軸２１の中心軸の周りに自転する。各対の筒体２７、２８は、それぞれ、めっき液６１中で回転軸２１の周りに公転する。各対の筒体２７、２８に掛け渡した各棒状物品１は、回転しつつ径方向に移動して、他の棒状物品１や棒状陰極４１にすべり接触する。
【００３０】
陽極板６２と導電支持軸４９は、直流電源に接続する。すると、電流が陽極板６２からめっき液６１を経て棒状物品１に流れて棒状陰極４１に至る。更に、電流は、棒状陰極４１から電線４２、ブラシ機構４３〜４７と導電帯４８を経て導電支持軸４９に達する。各棒状物品１は、電気めっきされる。
【００３１】
棒状物品１の両端部に陽極板６２から流入する電流は、筒体２７、２８の液通過孔２９付き周壁を通過する。棒状物品１の中央部に陽極板６２から流入する電流は、筒体２７、２８の液通過孔２９付き周壁を通過しない。
棒状物品１の両端部付近と陽極板６２付近の間で入れ替わるめっき液は、筒体２７、２８の液通過孔２９付き周壁を通過する。棒状物品１の中央部付近と陽極板６２付近の間で入れ替わるめっき液は、筒体２７、２８の液通過孔２９付き周壁を通過しない。
棒状物品１は、均等厚さに良好に電気めっきされ易い。
【００３２】
また、筒体２７、２８の回転中、対の筒体２７、２８に両端部を入れた各棒状物品１は、筒体２７、２８の中心軸に対して傾く角度が制限される。棒状物品１の端部の角部、凸部や突起部が他の棒状物品１に当る強さが大きくならない。電気めっきされる棒状物品１は、打ち痕や打ち傷が生じ難い。
【００３３】
［棒状物品の例］
棒状物品１は、図１と図２に示すように、丸軸のような丸棒にする。角棒にする。筒状の中空棒にする。
また、棒状物品１は、機械機器の棒状部品にする。両端又は片端の端部にネジやローレットのような凹凸や突起部がある棒にする。圧縮点火機関の点火を補助するグロープラグの棒状部品、片端の端部にネジやローレットのある丸軸にする。このグロープラグの棒状部品は、長さが５０〜２００ｍｍ位で、太さが２〜１０ｍｍ位である。
【００３４】
［変形例］
１．上記の実施形態において、物品移動器具は、回転軸２１の中央部に２枚の回転板２４、２５を設けているが、両回転板２４、２５を設けない。そして、左端の回転板２２に固定の筒体２７と右端の回転板２３に固定の筒体２７は、棒状物品１を掛け渡す対の筒体にする。
２．上記の実施形態において、陰極４１は、丸棒状にしているが、円盤形状や半球形状などの突起状にする。
３．上記の実施形態において、筒体２７、２８は、円筒形状にしているが、六角筒や八角筒などの角筒形状にする。
【符号の説明】
【００３５】
１  棒状物品
２  筒体
３  陰極、棒状陰極
４  中心軸
５  並列軸
６  液通過孔
１１、１２  枠体
１１  縦板
１２  横棒
１３  吊り軸
２１〜３０  回転体
２１  回転軸
２２、２３、２４、２５  回転板
２３  回転板、歯車
２６  ボルト
２７、２８  筒体
２９  液通過孔
３０  物品出し入れ部
２３、３１〜３４  回転伝動機構
３１  小歯車
３２  駆動軸
３３  歯車
３４  歯車
４１  陰極、棒状陰極
４２  電線
４３〜４７  ブラシ機構
４３  導電軸
４４  ブラシ
４５  ばね
４６  電線
４７  覆い
４８  導電帯
４９  導電支持軸
５０  電線
６１  めっき液
６２  陽極板
６３  めっき槽
【図１】
0005685206.tif 000002
【図２】
0005685206.tif 000003
【図３】
0005685206.tif 000004
【図４】
0005685206.tif 000005
【図５】
0005685206.tif 000006